(57)【要約】【目的】  本発明は、単層又は複数層の折板屋根において、受光による蓄放熱の変化等から生じる板鳴り現象を防止すること。【構成】  単層の折板屋根Ａ又は複数層の折板屋根Ａの少なくとも上葺折板屋根において、主板１の幅方向両側部分より立上り側部２，２が形成され、該両立上り側部２，２の一方の上端には下馳部４ａが形成され，他方の上端には上馳部４ｂが形成された折板状屋根板Ａ1 と吊子Ｃとからなり、該吊子Ｃが折板状屋根板Ａ1 と接する部分に、非金属性軟質材７を被覆してなること。【選択図】      図１
2005299263.tif 000002
【特許請求の範囲】
【請求項１】
単層の折板屋根又は複数層の折板屋根の少なくとも上葺折板屋根において、主板の幅方向両側部分より立上り側部が形成され、該両立上り側部の一方の上端には下馳部が形成され，他方の上端には上馳部が形成された折板状屋根板と吊子とからなり、該吊子が折板状屋根板と接する部分に、非金属性軟質材を被覆してなることを特徴とする折板屋根における板鳴り防止構造。
【請求項２】
請求項１において、前記吊子が前記上馳部又は前記下馳部のいずれかに接する部分に予め非金属性軟質材を被覆してなることを特徴とする折板屋根における板鳴り防止構造。
【請求項３】
請求項１において、前記吊子が前記上馳部及び前記下馳部に接する部分に予め非金属性軟質材を被覆してなることを特徴とする折板屋根における板鳴り防止構造。
【請求項４】
請求項１において、前記吊子の吊子部に予め非金属性軟質材を全面被覆してなることを特徴とする折板屋根における板鳴り防止構造。
【請求項５】
単層の折板屋根又は複数層の折板屋根の少なくとも上葺折板屋根において、主板の幅方向両側部分より立上り側部が形成され、該両立上り側部の一方の上端には下馳部が形成され，他方の上端には上馳部が形成された折板状屋根板と、非金属性軟質材を被覆した吊子とからなり、前記折板状屋根板が複数並設され、隣接する折板状屋根板の下馳部と上馳部との間に前記吊子の吊子部が介在されつつ巻着されてなることを特徴とする折板屋根における板鳴り防止構造。
【請求項６】
複数層の折板屋根の上葺折板屋根において、主板の幅方向両側部分より立上り側部が形成され、該両立上り側部の一方の上端には下馳部が形成され，他方の上端には上馳部が形成された折板状屋根板と、下葺折板屋根上の断熱支持具に設けた，非金属性軟質材を被覆した吊子とからなり、前記折板状屋根板が複数並設され、隣接する折板状屋根板の下馳部と上馳部との間に前記吊子の吊子部が介在されつつ巻着されてなることを特徴とする折板屋根における板鳴り防止構造。
【請求項７】
請求項１，２，３，４，５又は６において、上葺折板屋根における折板状屋根板の下馳部と上馳部とが直接接触しないように前記下馳部と前記上馳部との間に軟質材が介在され馳締されてなることを特徴とする折板屋根における板鳴り防止構造。
【請求項８】
請求項１，２，３，４，５又は６において、前記非金属性軟質材を軟質合成樹脂材としてなることを特徴とする折板屋根における板鳴り防止構造。
【請求項９】
請求項１，２，３，４，５，６，７又は８において、複数層の折板屋根を２層とし、且つ該２層の前記上葺折板屋根の下方には下馳部，上馳部を有する下葺折板状屋根板からなる下葺折板屋根を設けてなることを特徴とする折板屋根における板鳴り防止構造。
【請求項１０】
請求項１，２，３，４，５，６，７，８又は９において、前記非金属性軟質材の被膜厚さは約０．５〜約２mm、好ましくは約０．５〜約１mmとしてなることを特徴とする折板屋根における板鳴り防止構造。
【発明の詳細な説明】
【技術分野】
【０００１】
本発明は、単層又は複数層の折板屋根において、受光による蓄放熱の変化等から生じる板鳴り現象を防止することができる折板屋根における板鳴り防止構造に関する。
【背景技術】
【０００２】
従来より、金属製の折板状屋根板からなる折板屋根が多く施工されている。このような折板屋根を構成する折板状屋根板は、谷状部の幅方向両側に連結用屈曲部を形成したもので、その折板状屋根板を複数並設し、隣接する折板状屋根板同士の下馳部と上馳部とを馳締した馳締タイプの折板屋根が施工される。このような馳締タイプの折板屋根では、単層タイプの他に、上葺折板屋根と下葺折板屋根とからなる２層の折板屋根が存在する。この２層の折板屋根には、上葺折板屋根と下葺折板屋根とが共に馳締タイプの場合がある。また、場合によっては、上葺，中間葺，下葺折板屋根からなる３層も存在する。
【０００３】
その馳締タイプの折板屋根は、隣接する折板状屋根板の下馳部と上馳部とを馳締しつつ下馳部と上馳部との間に軟質でテープ状のシーラー等の非金属性軟質材が介在されていた。(1) この施工は、折板の長手方向にシーラー等を取り付けるもので、極めて手間が掛かり面倒であった。(2) 板鳴りをより確実に防止するには、下馳部〜吊子接触部及び上馳部〜吊子接触部の２面に非金属性軟質材を介在させるのが極めて好ましいと、出願人は解明したのであるが、施工時にこの２面に通常の方法で介在させる（取り付ける）ことは極めて難しく、１面のみしか取り付けられないという問題が発生した。また、特許文献１又は特許文献２でも、現場等で下馳部に非金属性軟質材を貼着するのは面倒で、且つ時間がかかる問題があった。
【特許文献１】特開２００２ー３３９５２１
【特許文献２】特開平６−８８４０４号
【発明の開示】
【発明が解決しようとする課題】
【０００４】
また、その音鳴り現象が如何なる原因で発生するのかの解明も手探り状態であったが、その原因等を解明した。「板鳴り現象」とは、金属製の折板状屋根板で屋根を茸き上げた場合、概ね方位、季節、地域などに関係なく、朝夕や昼間の外気温度の変化時に集中して屋根面から板鳴りが激しく生じることをいう。従来は「音鳴り」と称していたが、これを「板鳴り」として統一する。この場合の音色３分類と各状況について以下の段落〔０００５〕乃至段落〔０００７〕に今までの観察知見を整理した。
【０００５】
１．反転音
音色：単発的に発生。音量も、音源板接触で約１１５〜１２０ｄＢの範囲である。
「反転音」とは、弾性湾曲状の薄板を機械的に反転させたとき、或いは、夜間に密閉したドラム缶が発する”パーン、ドン、ボーン”で聞こえる音をいう。発生時間：温度変化時であって、季節を問わず、朝夕の温度変化時や昼間の受光変化時などで板表面の温度が段階的（２度前後の間隔）に上昇、下降の変化時間帯で集中的に群発するものである。
【０００６】
２．衝撃音
音色：単発的に発生。暗騒音４５ｄＢの環境下では聞き取り不鮮明な程度。            「衝撃音」とは、薄鋼板の小口片屋根板を、或いは、構成部材表面を軽く叩き押さえつけた時に生じる”コン、コツーン、カン”の金属打撃音をいう。天井有設置なら騒音対象にはなりにくい。発生部位：屋根板裏面と構成部材の金属の微少間隙部分で発生。発生時間：温度変化時であって、前記反転音に準じている。
【０００７】
３. 摩擦音
音色：散発的発生。「摩擦音」とは、薄鋼板の小口片で屋根板を擦ような”キー、キューン、ミシ”の金属接触擦り音をいう。このケースも天井有設置ならば騒音対象になりにくい。発生部位：衝撃音源に準じる部位。挙動現象：屋根と金属部材との取り付け接触面の接面移動による擦れ音。発生時間：温度変化時であって、前記反転音に準じている。
また、その外には、振動伝播音（一度の発生で、数十平方メートル〜数百平方メートル単位の屋根が間断なく波状的に数十秒間継続し、例外なく騒音対象となる）がある。音色：連続音で継続。反転音を除外し、衝撃音と摩擦音が混在した大きな音量で発生区間の屋根全面で鳴り響く。この音量は、静かな環境下で突如強烈な夕立の雨音に匹敵、或いは、間断なく浜辺に打ち寄せる大波の衝撃音に擬似している。
【０００８】
以上のような板鳴り現象が発生し、折板屋根内の住人に極めて大きな騒音を与えることとなる。大きな原因としては、折板状屋根板が凹凸状としたものの場合、太陽光の当たる部分の熱伸縮は大きくなり、当たらない部分は熱伸縮が小さくなるものである。このような熱伸縮誤差にて「反転音」、「衝撃音」、「摩擦音」等の板鳴りが発生する。このようなことから、板鳴り現象の発生を簡単に防止することができる折板屋根における板鳴り防止構造とすることが、本発明の技術的課題（課題又は目的等）である。
【課題を解決するための手段】
【０００９】
そこで、発明者は上記課題を解決すべく、鋭意，研究を重ねた結果、本発明を、単層の折板屋根又は複数層の折板屋根の少なくとも上葺折板屋根において、主板の幅方向両側部分より立上り側部が形成され、該両立上り側部の一方の上端には下馳部が形成され，他方の上端には上馳部が形成された折板状屋根板と吊子とからなり、該吊子が折板状屋根板と接する部分に、非金属性軟質材を被覆してなることを特徴とする折板屋根における板鳴り防止構造としたことにより、前記課題を解決した。また、前記構成において、前記吊子が前記上馳部又は前記下馳部のいずれかに接する部分に予め非金属性軟質材を被覆してなることを特徴とする折板屋根における板鳴り防止構造としたことにより、前記課題を解決した。また、前記構成において、前記吊子が前記上馳部及び前記下馳部に接する部分に予め非金属性軟質材を被覆してなることを特徴とする折板屋根における板鳴り防止構造としたことにより、前記課題を解決した。さらに、前記構成において、前記吊子の吊子部に非金属性軟質材を全面被覆してなることを特徴とする折板屋根における板鳴り防止構造としたことにより、前記課題を解決した。
【００１０】
また、単層の折板屋根又は複数層の折板屋根の少なくとも上葺折板屋根において、主板の幅方向両側部分より立上り側部が形成され、該両立上り側部の一方の上端には下馳部が形成され，他方の上端には上馳部が形成された折板状屋根板と、非金属性軟質材を被覆した吊子とからなり、前記折板状屋根板が複数並設され、隣接する折板状屋根板の下馳部と上馳部との間に前記吊子の吊子部が介在されつつ巻着されてなることを特徴とする折板屋根における板鳴り防止構造としたことにより、前記課題を解決した。また、複数層の折板屋根の上葺折板屋根において、主板の幅方向両側部分より立上り側部が形成され、該両立上り側部の一方の上端には下馳部が形成され，他方の上端には上馳部が形成された折板状屋根板と、下葺折板屋根上の断熱支持具に設けた，非金属性軟質材を被覆した吊子とからなり、前記折板状屋根板が複数並設され、隣接する折板状屋根板の下馳部と上馳部との間に前記吊子の吊子部が介在されつつ巻着されてなることを特徴とする折板屋根における板鳴り防止構造としたことにより、前記課題を解決した。
【００１１】
また、前記構成において、少なくとも上葺折板屋根における折板状屋根板の下馳部と上馳部とが直接接触しないように前記下馳部と前記上馳部との間に軟質材が介在され馳締されてなることを特徴とする折板屋根における板鳴り防止構造としたことにより、前記課題を解決した。また、前記構成において、前記非金属性軟質材を軟質合成樹脂材としてなることを特徴とする折板屋根における板鳴り防止構造としたことにより、前記課題を解決した。また、前記構成において、複数層の折板屋根を２層とし、且つ該２層の前記上葺折板屋根の下方には下馳部，上馳部を有する下葺折板状屋根板からなる下葺折板屋根を設けてなることを特徴とする折板屋根における板鳴り防止構造としたことにより、前記課題を解決した。さらに、前記構成において、前記非金属性軟質材の被膜厚さは約０．５〜約２mm、好ましくは約０．５〜約１mmとしてなることを特徴とする折板屋根における板鳴り防止構造としたことにより、前記課題を解決したものである。
【発明の効果】
【００１２】
請求項１の発明においては、単層又は複数層の折板屋根において、第１に板鳴り現象を回避することができるし、第２に極めて簡単な構造とし、簡易且つ迅速なる施工とすることができる等の種々の効果を奏する。請求項２の発明においては、単層の折板屋根において、板鳴り現象を回避することができる。また、請求項３の発明においては、複数層の折板屋根において、板鳴り現象を回避することができる。また、請求項４の発明においては、複数層の折板屋根においても、板鳴り現象を回避できる。さらに、請求項４の発明においては、複数層の折板屋根において、確実に板鳴り現象を回避することができる。また、請求項５、６の発明においては、複数層の折板屋根を２層としても、板鳴り現象を回避できる。また、請求項７の発明においては、騒音を出しにくくし、良好に板鳴り現象を回避できる。
【００１３】
ここで吊子に被覆する非金属性軟質材は、折板の上馳又は下馳又はこれらいずれの面にも接した部分に被覆したもので、板鳴り防止にはこの両面被覆が最も好ましい。つまり、〔００１４〕の１〜２行目に記載の如く、『折板屋根の板鳴りを誘発させる主原動力は・・・による振動波』であり、これを吸収するには２面被覆が最適である。ここで、被覆とは、折板の馳締前に該軟質材を工場等で予め被覆したもので、施工時にはこの被覆した吊子を介在させて上馳と下馳を機械的に馳締していけば良いのである。従って、施工性は極めて良く、施工能率は該軟質材被覆なし吊子の場合と同じである。
【００１４】
特に、音色を問わず、上葺折板屋根の板鳴りを誘発させる主原動力は、受光による蓄放熱の変化と風息による振動波によるものであると諸現象から解明した。すなわち、折板状屋根板は外気温度の変化で膨張と収縮が、軒先と棟で伸縮挙動として現れており、また、屋根板表面の細部でも受光面と陰影面（受熱温度差）の実在から、個々の屋根板は伸縮挙動に加え水平面に沿って「高温側が最大半径となる湾曲変形の挙動」も相乗し発生しているものである。これによって、板鳴りの音源は、「層と板」に変形挙動を生じさせ熱応力と、接点を維持する「構成部材固有」の抵抗力との釣り合いが飽和に達して拮抗が崩壊した瞬間に、両材接点の位置移動が「衝撃、摩擦、振動」を伴って生じる時に発する空気の伝播音である。
【００１５】
また、部材接点間の拮抗から崩壊の過程で、増減する熱応力は蓄積と解放を繰り返し、次なる板鳴り発生の予備力となっていることも事実である。次に、風の大小（強弱）による関連要因は、外気温度も平衡で両材（屋根と部材）の接点が拮抗している状態の時、屋根の固有振動と風息の波長が同調するような風圧に遭遇すると、特に、風上側のケラバ周辺近辺では接点の拮抗が崩壊し易くなり、上述の現象が最も生じ易くなる。（共振発生の原理）以上の概論による「応力と挙動」の相関が程度を問わず、聴覚的分類の直接的な「衝盤音、摩擦音、振動音」の板鳴りを誘発させている主因である。
【００１６】
また、「反転音」については、風息波による影響は溝板が極端な凹凸変形を現している事例以外で見あたらない。その「反転音」における板の反転は、変形部材と隣接している非変形部位端との接線境界で生じる「付加する熱応力と板の弾性曲げ抵抗力」との拮抗（又は釣合い）が熱応力側の変化（超過或いは減少、いずれも熱力学上等量）で崩壊したとき、バネの反発力によって板は瞬時に反転するものである。このような板鳴り現音も「瞬時反転、折線境界の移動」で生じる空気の振動伝播音とみなせば、主因も概ね上述の温度変化に起因していることを解明できたものである。これらの解明に基づいて、簡易な構成で開発したのが本発明である。
【発明を実施するための最良の形態】
【００１７】
本発明を実施するための最良の形態について図面に基づいて説明する。図１に示すように、単層又は複数層折板屋根において、上葺折板屋根Ａは、複数の折板状屋根板Ａ1 ，Ａ1 ，…から構成される。該折板状屋根板Ａ1 は、主板１の幅方向両側部分より立上り側部２，２が形成され、その両立上り側部２，２の両端より頂部３、３が形成され、該頂部３，３の一方の端から下馳部４ａが形成され，他方の頂部３の端には上馳部４ｂが形成されている。そして、このような折板状屋根板Ａ1 ，Ａ1 …を複数並設し、隣接する折板状屋根板Ａ1 ，Ａ1 同士の下馳部４ａと上馳部４ｂとの間に、吊子部６を有する吊子Ｃの吊子部６を介在し、前記下馳部４ａと前記上馳部４ｂと前記吊子部６とを馳締め結合して上葺折板屋根Ａを施工してゆくものである。該上葺折板屋根Ａは２層又は３層であっても該当する。また、単層の場合は、折板屋根が上葺折板屋根Ａに該当する。また、前記下馳部４ａと上馳部４ｂとの総称として馳部ということもある。
【００１８】
また、その２層の折板屋根では、図１に示すように、上葺折板屋根Ａと下葺折板屋根Ｂからなり、その下葺折板屋根Ｂは下葺折板状屋根板Ｂ1 ，Ｂ1 …から構成されており、上葺折板屋根Ａを構成する折板状屋根板Ａ1 と同様のタイプで、下層主板１０の幅方向両側に下層立上り側部１１，１１が形成され、該下層立上り側部１１，１１の上端に連結用屈曲部１２，１２が形成されている。
【００１９】
該連結用屈曲部１２，１２は、種々の実施形態が存在しており、その第１実施形態としては、上葺折板屋根Ａを構成する折板状屋根板Ａ1 と同様に下馳部１２ａと上馳部１２ｂとからなり、下馳部１２ａと上馳部１２ｂとを馳締めして連結するものである。また、連結用屈曲部１２，１２の別の実施形態としては、重合タイプのものであり、両連結用屈曲部１２，１２は半山形状に形成されており、両連結用屈曲部１２，１２を重合し、その山形状部に形成された連結用屈曲部１２，１２の頂部同士を受金具に垂直に設けたボルトに貫通させてナットにて締付け固定し、下葺折板屋根Ｂを構成する（図５参照）。
【００２０】
前記吊子Ｃは、図３に示すように、座金状の本体部５と、該本体部５の一側より金属製の吊子部６が、別体又は一体にて形成され、該吊子部６が、折板屋根の馳締め以前に予め、非金属性軟質材７にて被覆されている。具体的には、該非金属性軟質材７は、弾性或いは柔軟性を有するものである。このような性質を有する材質としては、軟質ゴム（天然ゴム、合成ゴム）又は軟質塩化ビニル樹脂である。図３では、吊子Ｃの吊子部６のみが非金属性軟質材７にて全面被覆されているが、前記吊子Ｃ全体が非金属性軟質材７にて全面被覆されることもある。
【００２１】
また、ポリオレフィレ系軟質樹脂（代表として、エチレン・プロピレン共重合体）、スチレン系熱可塑性エラストマー（代表：スチレン・ブタジェン共重合体）、軟質ポリエステル樹脂、軟質フッ素樹脂又はプラスティック製発砲体（代表：ポリオレフィン発砲体、ポリウレタン発砲体）である。さらに、前記非金属性軟質材７の厚さとしては、約０．５〜約２mm程度とするものである。また、好ましくは、約０．５mm以上約１mm程度である。さらに好ましくは、約０．６mm以上約１mm程度である。このようにある程度の厚みを有することで、非金属性軟質材７が有する弾性等により熱歪みなる振動を吸収できるというのが大きな要因と考えている。
【００２２】
また、前記吊子Ｃが前記上馳部４ｂ又は前記下馳部４ａのいずれかに接する部分に予め非金属性軟質材７が被覆されることもある。さらに、前記吊子Ｃが前記上馳部４ｂ及び前記下馳部４ａに接する部分に予め非金属性軟質材７が被覆されている。また、前記吊子Ｃの吊子部６に非金属性軟質材７を全面被覆することもある。
【００２３】
その上葺折板屋根Ａを下葺折板屋根Ｂ上で支持するものとして断熱支持具Ｄが使用される。該断熱支持具Ｄは種々の実施形態が存在し、まず、図１及び図２、図４に示すように、下部側支持部Ｄ1 と上部側支持部Ｄ2 とから構成され、下部側支持部Ｄ1 では、前記下葺折板屋根Ｂを構成する下層折板状屋根板Ｂ1 ，Ｂ1 …の連結に固定することができる構造となっている。具体的には、下葺折板状屋根板Ｂ1 ，Ｂ1 …が下馳部１２ａと上馳部１２ｂとからなる馳部を内装する馳締部装着部１３とその馳締部を固着する固定部１４とから構成されている。該固定部１４としてはボルトが使用され、図４に示すように、馳締部装着部１３内に馳締部を内装し、固定部１４にて馳部を固定するものである。また、下葺折板屋根Ｂが重合タイプでは、受金具２１に垂直に設けたボルトに下部側支持部Ｄ1 を固着するものである（図５参照）。図中２０は下地鉄骨である。
【００２４】
また、上部側支持部Ｄ2 は、上部本体１５上の補助支持板１６に前記吊子Ｃが設けられている。前記吊子Ｃにて、下馳部４ａと上馳部４ｂとを固定し、補助支持板１６及び本体部５にて前記立上り側部２，２を支持するものである。また、前記断熱支持具Ｄは、下部側支持部Ｄ1 と上部側支持部Ｄ2 との間を断熱部材を介在させて断熱構成とすることもある。
【００２５】
その単層（一層）の折板屋根及び２層の実施形態の少なくとも上葺折板屋根Ａにおいて、複数並設した折板状屋根板Ａ1 ，Ａ1 …の隣接する折板状屋根板Ａ1 ，Ａ1 の下馳部４ａと上馳部４ｂとの間には軟質材８が装着されることもある。該軟質材８は、弾性或いは柔軟性を有するものであり、帯状をなしている。このような性質の材質としては、まず弾性を有するものとしてネオプレーンゴム，スチレンブタジェンゴム，ウレタンゴム，ポリブタジェンゴム，アクリルゴム，スチレンゴム，フッ素ゴム，シリコーンゴム等の天然及び合成ゴムであり、また柔軟性を有するものとしてはガラス長繊維積層体等の軟質積層体，軟質塩ビ等の軟質合成樹脂や，ポリエチレンフォーム，ポリウレタンフォーム等の発泡材である。また、吊子が介在する部分では、下馳部〜吊子間と上馳部〜吊子間に前記軟質材８が装着されることもある。
【００２６】
その軟質材８が、隣接する折板状屋根板Ａ1 ，Ａ1 の対向する下馳部４ａと上馳部４ｂとの間に介在され、下馳部４ａと上馳部４ｂとが前記軟質材８を介在させつつ馳締めされるものである〔図６（Ａ），（Ｂ）参照〕。そして、軟質材８は、隣接する折板状屋根板Ａ1 ，Ａ1 の下馳部４ａ又は上馳部４ｂが直接接触することがない程度に介在させる。そして、軟質材８は、折板状屋根板Ａ1 の長手方向、即ち、下馳部４ａ及び上馳部４ｂの馳部における長手方向に沿って、連続して介在されている。このように、隣接する折板状屋根板Ａ1 ，Ａ1 の下馳部４ａと上馳部４ｂとの間に直接接触部分が無いようにすることで、金属同士の直接接触による擦れ合うことがなく、下馳部４ａ，上馳部４ｂ共に軟質材８に接触し、長手方向の熱伸縮による擦れ合いの板鳴り現象を消音したり、或いは極めて小さい音にすることができる。
【００２７】
前記軟質材８は、隣接する折板状屋根板Ａ1 ，Ａ1 の対向する下馳部４ａと上馳部４ｂとの間に介在されるものである〔図６（Ａ），（Ｂ）参照〕。また、軟質材８は折板状屋根板Ａ1 の長手方向、即ち、下馳部４ａと上馳部４ｂの長手方向に沿って、連続して介在されている。前述したように、前記吊子Ｃと前記軟質材８とを使用することもあるし、施工現場によっては、前記吊子Ｃのみで単層の折板屋根Ａ及び２層の折板屋根における上葺折板屋根Ａを施工することもある。さらに、軟質材８は前記上馳部４ｂ又は前記下馳部４ａのいずれかに接する部分に被覆でも十分な効果を得るが、両面被覆が最適である。
【００２８】
また、軟質材８の下馳部４ａ及び上馳部４ｂの間への装着状態の別の実施形態として、図示しないが、下馳部４ａ及び上馳部４ｂそれぞれの長手方向に対して一部に軟質材８が介在されない部分が生じるようにすることもある。この実施形態においても、その軟質材８の介在されない部分はなるべく少ない距離とし、下馳部４ａと上馳部４ｂとの直接接触による擦れ合いが少なくなるようにすることが好ましい。
【図面の簡単な説明】
【００２９】
【図１】下葺折板屋根と上葺折板屋根とからなる２層折板屋根の本発明の正面略示図である。
【図２】（Ａ）は本発明の要部断面図、（Ｂ）は非金属性軟質材付きの吊子にて下馳部と上馳部とを馳締め結合した状態を示す要部拡大断面図である。
【図３】（Ａ）は非金属性軟質材を設けない状態の吊子の斜視図、（Ｂ）は一部切除した吊子の斜視図、（Ｃ）は吊子の一部断面とした側面図である。
【図４】下葺折板屋根と上葺折板屋根とからなる２層折板屋根の本発明の拡大断面図である。
【図５】下葺折板屋根と上葺折板屋根とからなる別の実施形態の２層折板屋根の本発明の拡大断面図である。
【図６】（Ａ）は上葺折板屋根において、軟質材を上馳部下面に貼着し、これを下馳部に馳締め加工する状態の要部断面図、（Ｂ）は（Ａ）において上馳部と下馳部と吊子とを馳締め結合した状態を示す要部拡大断面図である。
【図７】（Ａ）は本発明を一層の馳締タイプの折板屋根の要部断面図、（Ｂ）は（Ａ）の要部拡大断面図である。
【符号の説明】
【００３０】
Ａ…上葺折板屋根、Ａ1 …折板状屋根板、Ｂ…下葺折板屋根、
Ｂ1 …下葺折板状屋根板、Ｃ…吊子、Ｄ…断熱支持具、１…主板、２…立上り側部、
４ａ…下馳部、４ｂ…上馳部、７…非金属性軟質材、８…軟質材。
【図１】
2005299263.tif 000003
【図２】
2005299263.tif 000004
【図３】
2005299263.tif 000005
【図４】
2005299263.tif 000006
【図５】
2005299263.tif 000007
【図６】
2005299263.tif 000008
【図７】
2005299263.tif 000009